(57)【要約】【課題】  三脚を有して放熱効率を向上させるプロジェクタを提供する。【解決手段】  映像を投写するプロジェクタ１は、映像を投写するための光学系２００を構成する光学素子の光源２１１と、プロジェクタ１を支持する三脚３０と、光学素子の光源２１１に接続されると共に三脚３０を固定する三脚固定部２０とを有し、三脚３０と三脚固定部２０とは、熱伝導性の部材で構成される。【選択図】      図３
2006208901.tif 000002
【特許請求の範囲】
【請求項１】
映像を投写するプロジェクタであって、
映像を投写するための光学系を構成する光学素子と、
前記プロジェクタを支持する三脚と、
前記光学素子と接続されると共に前記三脚を固定する三脚固定部とを有し、
前記三脚と前記三脚固定部とは、熱伝導性の部材で構成されることを特徴とするプロジェクタ。
【請求項２】
請求項１に記載のプロジェクタであって、
電波を送受信する回路構成部を更に有し、
前記光学素子を中心に、前記回路構成部と前記三脚固定部とが相対する位置に配設されることを特徴とするプロジェクタ。
【請求項３】
請求項１に記載のプロジェクタであって、
電波を送受信する回路構成部を更に有し、
前記三脚は、熱伝導性および電気導電性の部材で構成され、
前記三脚固定部は、熱伝導性および電気絶縁性の部材で構成され、
前記三脚の少なくとも一つと前記回路構成部とは電気導電性の接続部材により接続されることを特徴とするプロジェクタ。
【請求項４】
請求項１に記載のプロジェクタであって、
前記光学素子を中心に、前記回路構成部と前記三脚固定部とが相対する位置に配設されることを特徴とするプロジェクタ。
【請求項５】
請求項１〜請求項４のいずれか一項に記載のプロジェクタであって、
前記三脚固定部に接続される前記光学素子は、映像を投写するための光を射出する光源であることを特徴とするプロジェクタ。
【発明の詳細な説明】
【技術分野】
【０００１】
本発明は、光源などの光学素子で発生する熱を冷却するプロジェクタに関する。
【背景技術】
【０００２】
従来、特許文献１には、プロジェクタとは異なるが、三脚を使用して運用する移動型送受信機において、発熱部を筐体下部に配置し、三脚を固定する三脚取付け部に接触させることにより放熱効果を高める構造が知られている。
【０００３】
【特許文献１】実開平１−６５５３４号公報
【発明の開示】
【発明が解決しようとする課題】
【０００４】
しかしながら、特許文献１に示す構造をプロジェクタに使用した場合に、三脚取付け部が発熱部に対して取外し可能であり、三脚取付け部と発熱部との接続部分において熱抵抗が増加するため熱伝導効率が低下し、それにより放熱効果が低下するという課題があった。また、三脚取付け部（三脚取付け部が固定する三脚を含む）を取外して使用する場合には、放熱効果は更に低下するという課題があった。
【０００５】
本発明は、上記課題に鑑みてなされたものであり、三脚を有して放熱効率を向上させるプロジェクタを提供することを目的とする。
【課題を解決するための手段】
【０００６】
上述した目的を達成するために、本発明は、映像を投写するプロジェクタであって、映像を投写するための光学系を構成する光学素子と、プロジェクタを支持する三脚と、光学素子と接続されると共に三脚を固定する三脚固定部とを有し、三脚と三脚固定部とは、熱伝導性の部材で構成されることを特徴とする。
【０００７】
このようなプロジェクタによれば、三脚および三脚を固定する三脚固定部は、プロジェクタの本体と一体に構成され、三脚および三脚固定部は、プロジェクタ本体に対して取外し不可能な構成である。この構成により、光学素子で発生する熱は、光学素子と接続され熱伝導性の部材で構成される三脚固定部に伝熱し、三脚固定部に伝熱した熱は、熱伝導性の部材で構成される三脚に伝熱する。そして、三脚に伝熱した熱は外気に放熱されることにより、光学素子は冷却される。これにより、従来、三脚取付け部を発熱部に対して取外し可能に取付けて冷却する構成に対して、本発明の構成は、伝熱効率を向上させることができ、放熱効率が向上する。
【０００８】
上記プロジェクタにおいて、電波を送受信する回路構成部を更に有し、光学素子を中心に、回路構成部と三脚固定部とが相対する位置に配設されることが好ましい。
【０００９】
このようなプロジェクタによれば、光学素子を中心に、回路構成部と三脚固定部とが相対する位置に配設されることにより、プロジェクタの本体内部で、回路構成部と三脚が固定される三脚固定部との距離を離すことができる。それにより、発熱する光学素子の熱を三脚固定部に伝熱することで、熱を回路構成部から遠ざけることができるため、光学素子の熱が回路構成部に伝熱することを低減できる。
【００１０】
上記プロジェクタにおいて、電波を送受信する回路構成部を更に有し、三脚は熱伝導性および電気導電性の部材で構成され、三脚固定部は熱伝導性および電気絶縁性の部材で構成され、三脚の少なくとも一つと回路構成部とは電気導電性の接続部材により接続されることが好ましい。
【００１１】
このようなプロジェクタによれば、熱伝導性の三脚と熱伝導性の三脚固定部とにより伝熱効率を向上させると共に、電気導電性の部材で構成される三脚が電気導電性の接続部材により電波を送受信する回路構成部と接続されることにより、三脚をアンテナとして使用することができる。また、三脚を固定する三脚固定部は、電気絶縁性の部材で構成されるため、回路構成部にノイズが乗ることを防止でき、送受信感度を向上することができる。
【００１２】
上記プロジェクタにおいて、光学素子を中心に、回路構成部と三脚固定部とが相対する位置に配設されることが好ましい。
【００１３】
このようなプロジェクタによれば、光学素子を中心に、回路構成部と三脚固定部とが相対する位置に配設されることにより、プロジェクタの本体内部で、回路構成部と三脚を固定する三脚固定部との距離を離すことができる。それにより、発熱する光学素子の熱を三脚固定部に伝熱することで、熱を回路構成部から遠ざけることができるため、光学素子の熱が回路構成部に伝熱することを低減できると共に、三脚をアンテナとして使用する場合には、回路構成部にノイズが乗ることを防止できるため、送受信感度を向上することができる。
【００１４】
上記プロジェクタにおいて、三脚固定部に接続される光学素子は、映像を投写するための光を射出する光源であることが好ましい。
【００１５】
このようなプロジェクタによれば、プロジェクタの光学系を構成する光学素子の中で最も発熱量の多い、映像を投写するための光を射出する光源を三脚固定部に接続することにより、光源を冷却することができる。したがって、最も発熱量の多い光源を冷却することにより、光学系を効率的及び効果的に冷却することが可能となる。
【発明を実施するための最良の形態】
【００１６】
以下、本発明の実施形態を図面に基づいて説明する。
（実施形態）
【００１７】
図１は、本発明の実施形態に係るプロジェクタの概略外観図であり、図１（ａ）は、三脚を開脚した状態での概略斜視図であり、図１（ｂ）は、三脚を開脚した状態での正面図である。図１を用いて、プロジェクタ１の外観の構成を説明する。
【００１８】
プロジェクタ１の本体２の外観面である全６面に対して、構成の説明のため、上面部１ａ、前面部１ｂ、左側面部１ｃ、右側面部１ｄ、背面部１ｅ、底面部１ｆとして示す。
【００１９】
図１（ａ）、（ｂ）に示すように、プロジェクタ１は、プロジェクタ１の本体２の外装を構成する略直方体形状の筐体１０と、プロジェクタ本体２の底面部１ｆに接続固定される三脚固定部２０と、三脚固定部２０に固定される三脚３０とから構成される。プロジェクタ１は、三脚３０によりプロジェクタ本体２を所定の高さに調節及び保持することができる。
【００２０】
筐体１０は、上ケース１１と、下ケース１２とを有して構成される。また、筐体１０は、プラスチック材料を主原料として形成される。上ケース１１の上面部１ａには、電源スイッチなどの操作部１３及びプロジェクタ本体２内部に備えるスピーカ４００（図４に図示）から出力される音を報音する報音穴１４が形成されている。また、後述する光学素子を構成する光源２１１としてのＬＥＤ（Light Emitting Diode）光源２１２（図４、図３に図示）の動作状態などを知らせるＬＥＤ（Light Emitting Diode）表示部１５が設置されている。前面部１ｂ中央には、後述する投写レンズ２３１を収容した投写レンズユニット２３０が突出し、そのための穴部１６が形成されている。
【００２１】
背面部１ｅには、電源アダプタ（図示省略）と接続する電源コネクタ４７０（図４に図示）を構成するコネクタ（図示省略）や、三脚３０に接続される同軸ケーブル１００をプロジェクタ本体２内部の回路基板６１（図３に図示）に接続する同軸ケーブルコネクタ６４（図３に図示）などのコネクタ関係が配設されている。また、リモートコントローラ（以降、リモコンと称す）４４０（図４に図示）からの信号を受信するリモコン受光部（図示省略）などが設置されている。左側面部１ｃ及び右側面部１ｄは、筐体１０の側壁を構成している。
【００２２】
底面部１ｆには、三脚固定部２０が接続固定される。三脚固定部２０は、後述するプロジェクタ本体２内部の光学系２００（図４、図３に図示）を構成する光源ユニット２１０（図３に図示）とも接続されている。
【００２３】
三脚３０は、三脚固定部２０に固定され、三本の脚３１，３２，３３が、開閉脚自在及び伸縮自在に構成されている。脚３１，３２，３３は、円柱状のパイプで形成され、脚３１は、３段のパイプで構成され、先端のパイプには、ゴム足３９が構成される。また、脚３２，３３は、２段のパイプで構成され、同様に先端にゴム足３９が構成される。なお。脚３１，３２，３３を構成するパイプは、アルミニウム合金で形成され、パイプにはネジ切りがされており、引き伸ばしてパイプを回転させることによりパイプを任意の長さで固定することができる。
【００２４】
脚３１，３２，３３は、三脚固定部２０と接続するために、それぞれ脚固定部３５，３６，３７が形成されている。また、三脚固定部２０には、脚固定部３５，３６，３７に対応させた脚固定受部２５，２６，２７が形成されている。そして、脚固定部３５，３６，３７は、脚固定受部２５，２６，２７にリベット４０により固定される。これにより、脚３１，３２，３３は、脚固定受部２５，２６，２７の軸を中心に開閉脚自在となる。また、プロジェクタ本体２の重量や、ある程度の外力では脚３１，３２，３３が開閉脚しない強さで脚固定受部２５，２６，２７に固定される。
【００２５】
プロジェクタ本体２の外形形状の大きさは、投写レンズユニット２３０を除いた場合、概略１００ｍｍ×５０ｍｍ×５０ｍｍ（Ｘ方向×Ｙ方向×Ｚ方向）となる。また、三脚３０の開脚高さは、脚３１，３２，３３を最大の長さに伸ばした場合には、概略１５０ｍｍの高さとなる。
【００２６】
図２は、本発明のプロジェクタの別の概略外観図であり、図２（ａ）は、三脚を閉脚して三脚固定部に収容した状態での概略斜視図であり、図２（ｂ）は、三脚を閉脚して三脚固定部に収容した状態の底面図である。図２を用いて、プロジェクタ１の外観の構成を説明する。
【００２７】
図２（ａ）、（ｂ）に示すように、三脚３０は、三脚３０の脚３１，３２，３３を最短に縮め、かつ、脚固定受部２５，２６，２７に沿って閉脚して三脚固定部２０内に収容することができる。このとき、図１（ｂ）に示す三脚固定部２０に形成した脚案内凹部２１，２２，２３に脚３１，３２，３３をそれぞれ案内して収容することで、脚３１，３２，３３をガタツキなく固定することができる。また、この状態で、脚３１，３２，３３は、プロジェクタ本体２の外形内に収まる長さに設定されている。そして、この状態で、プロジェクタ１を机上に置いた場合、プロジェクタ１は机上面に対して平行でガタツキがなく置くことができるため、安定した姿勢でプロジェクタ１を動作させて、映像を投写することができる。また、この状態で、プロジェクタ１を携帯・輸送・運搬することができる。
【００２８】
図３は、本発明のプロジェクタの概略断面図である。図３を用いて、プロジェクタ１の構成及び動作を説明する。
【００２９】
図３に示すように、プロジェクタ本体２内部は、光学系２００と回路ユニット６０とから基本的に構成される。
【００３０】
光学系２００を光学面から見た場合の構成を説明する。
光学系２００は、光源２１１と、コリメータレンズ２１４と、伸張レンズ２１５と、液晶ライトバルブ２２１と、投写レンズ２３１とを有して構成される。また、光源２１１は、発光源としてのＬＥＤ光源２１２と、集光レンズ２１３とを有して構成される。
【００３１】
ＬＥＤ光源２１２は、ＬＥＤ制御部４８０（図４に図示）からの制御により、制御に応じた発光を行う。なお、ＬＥＤ光源２１２は、白色光（すべての色の光を含む）を発光させる。
【００３２】
集光レンズ２１３は、ＬＥＤ光源２１２で発光した光を効率よく前方に射出させる。コリメータレンズ２１４は、光源２１１から射出された光を平行光に変換して射出する。伸張レンズ２１５は、コリメータレンズ２１４から射出された平行光を液晶ライトバルブ２２１の所定の入射光領域（図示省略）のサイズに合せて伸張して射出する。
【００３３】
液晶ライトバルブ２２１は、本実施形態では、透過型カラー液晶パネルを用いており、ＬＣＤ駆動部３６０（図４に図示）の信号に基づいて駆動し、伸張レンズ２１５から射出された光を変調して映像に変換する。なお、液晶ライトバルブ２２１は、透過型液晶パネルに限定されることなく、反射型液晶パネルやデジタルマイクロミラーデバイス等を用いることもできる。
【００３４】
投写レンズ２３１は、数種類のレンズから構成されており、液晶ライトバルブ２２１により変調され生成された映像を拡大して、プロジェクタ１の外部に射出する。
【００３５】
このようにして、プロジェクタ１は、プロジェクタ１の外部に設置したスクリーン６００（図４に図示）などの投影面に映像を拡大投写する。
【００３６】
次に、光学系２００を機構面から見た場合の構成を説明する。
光学系２００は、光源ユニット２１０と、ライトバルブユニット２２０と、投写レンズユニット２３０とから構成される。
【００３７】
光源ユニット２１０は、光源２１１（ＬＥＤ光源２１２、集光レンズ２１３）と、コリメータレンズ２１４と、伸張レンズ２１５とから構成される。
【００３８】
ライトバルブユニット２２０は、液晶ライトバルブ２２１と、液晶ライトバルブ２２１を収容して固定するライトバルブフレーム２２３と、液晶ライトバルブ２２１に接続されるフレキシブルなライトバルブケーブル２２２とで構成される。ライトバルブケーブル２２２は、後述する回路基板６１に実装されるライトバルブケーブルコネクタ６３と接続され、ＬＣＤ駆動部３６０（図４に図示）からの駆動信号を液晶ライトバルブ２２１に伝える。液晶ライトバルブ２２１は、ライトバルブケーブル２２２から伝達される駆動信号に基づいてカラー表示を行う。
【００３９】
投写レンズユニット２３０は、各種のレンズから構成される投写レンズ２３１と、投写レンズ２３１を所定の位置に収容する円筒形状の投写レンズフレーム２３２とで構成される。また、投写レンズフレーム２３２は、投写レンズユニット２３０を後述する固定フレーム７０に固定する投写レンズ取付部２３３を有している。なお、投写レンズユニット２３０は、焦点調整及びズーム調整が可能であり、ユーザは、投写レンズフレーム２３２に構成されるそれぞれの調整用回転部（図示省略）を回転することにより調整することができる。
【００４０】
ライトバルブユニット２２０と投写レンズユニット２３０とは、固定フレーム７０に固定される。投写レンズユニット２３０は、投写レンズ取付部２３３を固定フレーム７０の所定の位置に設置し、取付けネジ２３４により固定フレーム７０に固定する。また、ライトバルブユニット２２０は、ライトバルブフレーム２２３の所定の位置を固定フレームの所定の位置に設置して固定する。なお、ライトバルブユニット２２０と投写レンズユニット２３０とを固定した固定フレーム７０は、下ケース１２の所定の位置に取付けネジ７１により固定される。
【００４１】
回路ユニット６０に関して構造及び構成を概略説明する。
回路構成部である回路ユニット６０は、後述するプロジェクタ１の回路を構成する回路ブロック（図４に図示）に対して、各回路部を構成する素子を回路基板６１に実装したものである。そして、回路ユニット６０は、上ケース１１の内面側の所定の位置に収容され固定される。
【００４２】
回路ユニット６０は、回路基板６１をベースとして、ＣＰＵ（Central Processing Unit）６２や、ライトバルブケーブル２２２を接続するライトバルブケーブルコネクタ６３や、同軸ケーブル１００を接続する同軸ケーブルコネクタ６４や、電源コネクタ４７０（図４に図示）を構成し外部の電源アダプタからの電源ジャック４６０（図４に図示）と接続するコネクタ（図示省略）や、スピーカ４００などが実装される。その他の回路素子は図示を省略している。
【００４３】
三脚固定部２０及び三脚３０の構造及び機能に関して詳細に説明する。
【００４４】
三脚固定部２０は、概略四角の箱形状を有し、下ケース１２に一段の段差を形成した段差部１２ａの外面側の所定の位置に箱形状の開口側を下にした状態で段差部１２ａの内面側から固定ネジ１２ｂにより下ケース１２に固定される。また、三脚固定部２０は、プロジェクタ本体２内部に挿入される概略長方形の板状部２８が延出して形成されており、段差部１２ａに形成する挿入口１２ｃからプロジェクタ本体２内部に挿入される。そして、三脚固定部２０に形成される板状部２８は、光源ユニット２１０を構成する光源２１１と接続される。また、三脚固定部２０は、図１、図２で説明したように、三脚３０を接続している。
【００４５】
ライトバルブユニット２２０、投写レンズユニット２３０、コリメータレンズ２１４および伸張レンズ２１５は、固定フレーム７０により下ケース１２に固定される。しかし、光源ユニット２１０の光源２１１は、三脚固定部２０の板状部２８に接続され、下ケース１２に固定される。また、例えば、光源ユニット２１０をケース等に収納して一体化することにより、三脚固定部２０は、光学系２００をプロジェクタ本体２内部の所定の位置に支持する支持部材としての機能を持たせることもできる。
【００４６】
三脚固定部２０は、熱伝導性を有し、しかも、電気絶縁性を有するアルミナセラミック（Ａｌ2Ｏ3）で形成されている。それにより、光源２１１で発生する熱は、光源２１１と接続する板状部２８に伝熱されることで三脚固定部２０に伝熱する。三脚固定部２０に伝熱した熱は、熱伝導率の高いアルミニウム合金で形成される三脚３０に伝熱する。そして、三脚３０に伝熱した熱は、外気に放熱される。このような伝熱サイクルにより、光源２１１は効率的に冷却される。なお、三脚固定部２０の素材は、アルミナセラミックに限らず、チッ化ケイソ（Ｓｉｎ）などで形成しても良い。本実施形態では、三脚３０の脚３１，３２，３３を放熱部材として使用している。
【００４７】
三脚３０の脚３１は、上述した脚固定部３５を有して構成されており、その脚固定部３５には、電気導電性の接続部材である高周波用の同軸ケーブル１００を接続して固定している。この同軸ケーブル１００は、三脚固定部２０に形成したケーブル用穴２９を介して、回路基板６１に実装される同軸ケーブルコネクタ６４に接続されている。この構成により、本実施形態では、三脚３０の脚３１をアンテナ３１０（図４に図示）として使用している。
【００４８】
三脚３０の脚３１をアンテナ３１０として使用することにより、本発明のプロジェクタ１は、パソコン（パーソナルコンピュータ）（図示省略）から送信される画像データ及び音声データをアンテナ３１０としての脚３１を介して受信し、スクリーン６００などに投写し、そして、スピーカ４００から音を出力する機能を備えている。併せて、プロジェクタ１の設定データや不具合が発生した場合のデータをアンテナ３１０としての脚３１を介してパソコンに送信する機能も兼ね備えている。その他、本発明のプロジェクタ１は、テレビジョン放送電波（以降、テレビ電波と称す）をアンテナ３１０としての脚３１を介して受信して、テレビジョン放送に含まれる画像（テレビ画像）をスクリーン６００などに投写し、また、テレビジョン放送に含まれる音声（テレビ音声）をスピーカ４００から出力する機能を備えている。
【００４９】
三脚３０の脚３１をアンテナ３１０として使用する場合、構造的に、回路ユニット６０と脚３１の間に電気絶縁性を有する三脚固定部２０を介することにより、回路ユニット６０にノイズが乗ることを防止している。また、光源２１１を中心に、回路ユニット６０と三脚固定部２０とが相対する位置に配設される構造により、回路ユニット６０とアンテナ３１０としての脚３１との距離を離して確保することができ、回路ユニット６０にノイズが乗ることを更に防止している。
【００５０】
図４は、本発明のプロジェクタの回路ブロック図である。図４を用いて、プロジェクタ１の回路構成及び動作を説明する。
【００５１】
プロジェクタ１の回路構成を説明する。
図４に示すように、プロジェクタ１は、アンテナ３１０と、信号経路切替部３２０と、チューナ部３３０と、画像復調部３４０と、画像処理部３５０と、ＬＣＤ（Liquid Crystal Display）駆動部３６０と、音声復調部３７０と、音声処理部３８０と、音声増幅部３９０と、スピーカ４００と、通信部４１０と、信号変換部４２０と、入力操作部４３０と、リモコン４４０の信号を受信するリモコン信号受信部４５０と、外部の電源アダプタ（図示省略）を構成する電源ジャック４６０と接続する電源コネクタ４７０と、ＬＥＤ制御部４８０と、光学系２００とプロジェクタ１の全体を統括制御する制御部３００とを有して構成される。
【００５２】
なお、本発明のプロジェクタ１は、アンテナ３１０を三脚３０の脚３１で構成しており、同軸ケーブル１００が、アンテナ３１０としての三脚３０の脚３１と信号経路切替部３２０とを接続している。
【００５３】
次に、各部の動作を説明する。
最初に、パソコンから送信される画像データ（静止画像データ及び動画像データ）及び音声データをプロジェクタ１が受信する場合の各部の動作を説明する。
【００５４】
入力操作部４３０を構成する操作部１３やリモコン４４０からの操作信号により、制御部３００が、パソコンから送信される信号を受信する状態となるように信号経路切替部３２０を切替えることにより、パソコンからの符号化された画像データや音声データなどをアンテナ３１０、同軸ケーブル１００及び信号経路切替部３２０を介して通信部４１０により受信する。受信した画像データや音声データは、信号変換部４２０により複合化され、画像データは画像処理部３５０に出力され、音声データは音声処理部３８０に出力される。
【００５５】
画像処理部３５０は、信号変換部４２０から入力した画像データに、フレームレート変換およびスケーリング処理などを行う。また、画像処理部３５０は、画像データにブライトネス調整、コントラスト調整、ガンマ補正処理などの各種の画像補正も併せて行う。このように加工された画像データは、投写用映像信号としてＬＣＤ駆動部３６０に出力される。ＬＣＤ駆動部３６０は、画像処理部３５０から入力した投写用映像信号に基づき、液晶ライトバルブ２２１を駆動する。
【００５６】
音声処理部３８０は、信号変換部４２０から入力したデジタル信号である音声データをアナログ信号に変換し、音声増幅部３９０により増幅し、スピーカ４００により音声として再生し出力する。
【００５７】
なお、パソコンとプロジェクタ１とは、一例として、近距離無線通信規格であるIEEE802.11a（Institute of Electronic and Electronics Engineers 802.11a）規格で通信を行っている。なお、通信手段は上記に限定されず、IEEE802.11b、IEEE802.11g、ブルートゥース、ＵＷＢ（Ultra Wide Band）等の無線通信規格により通信を行うこともできる。
【００５８】
次に、プロジェクタ１の設定データや不具合が発生した場合のデータをアンテナ３１０を介してパソコンに送信する場合の各部の動作を説明する。
【００５９】
この場合、入力操作部４３０やリモコン４４０からの操作信号及びパソコンからの操作信号により、制御部３００が、パソコンにデータを送信する状態となるように信号経路切替部３２０を切替える。そして、制御部３００の記憶部（図示省略）に記憶されているプロジェクタ１の各種の設定データや、プロジェクタ１に発生している不具合のデータなどを信号変換部４２０で符号化し、通信部４１０により、信号経路切替部３２０及び同軸ケーブル１００を介してアンテナ３１０からパソコンに送信される。
【００６０】
次に、テレビ電波を受信する場合の各部の動作を説明する。
【００６１】
入力操作部４３０やリモコン４４０からの操作信号により、制御部３００が、テレビ電波を受信する状態となるように信号経路切替部３２０を切替える。そして、アンテナ３１０及び同軸ケーブル１００を通じて受信されるテレビ電波は、信号経路切替部３２０を介してチューナ部３３０に受信信号として入力する。チューナ部３３０は、入力した受信信号から入力操作部４３０やリモコン４４０などにより選局された放送チャンネルの放送信号を取り出して画像復調部３４０及び音声復調部３７０に分配する。
【００６２】
画像復調部３４０は、チューナ部３３０から入力した放送信号から画像信号を復調し、これを画像処理部３５０に出力する。画像処理部３５０は、画像復調部３４０から入力したアナログの画像信号をデジタルの画像データに変換する。そして、画像処理部３５０は、パソコンから入力した画像データと同様に、入力したテレビ画像の画像データに、フレームレート変換およびスケーリング処理などを行ない、また、画像データにブライトネス調整、コントラスト調整、ガンマ補正処理などの各種の画像補正も併せて行う。このように加工された画像データは、投写用映像信号としてＬＣＤ駆動部３６０に出力される。
【００６３】
ＬＣＤ駆動部３６０は、画像処理部３５０から入力した投写用映像信号に基づき、光学系２００を構成する液晶ライトバルブ２２１を駆動する。
【００６４】
一方、音声復調部３７０は、チューナ部３３０から入力した放送信号から音声信号を復調し、音声処理部３８０に出力する。音声処理部３８０は、音声復調部３７０から入力した音声信号を音声増幅部３９０を介してスピーカ４００に出力することによりテレビ音声を再生し出力する。
【００６５】
なお、リモコン信号受信部４５０は、リモコン４４０から送信された信号をリモコン受光部（図示省略）を介して受信し、制御部３００に出力する。なお、リモコン４４０は、赤外線を用いた通信を行っている。
【００６６】
プロジェクタ本体２を駆動するための電力は、プロジェクタ１とは別に備える電源アダプタ（図示省略）を介して供給される。それにより、電源コネクタ４７０を備えて、電源アダプタの電源ジャック４６０と接続される。
【００６７】
ＬＥＤ制御部４８０は、制御部３００の信号に基づいて、後述するＬＥＤ光源２１２の輝度調光を行う。具体的には、画像のシーンに対応させて、ＬＥＤ光源２１２を駆動する駆動周波数やデューティー比を変化させている。これにより、明るいシーンでは、駆動周波数を上げるまたはデューティー比の「ＯＮ」時間を長くすることにより、ＬＥＤ光源２１２を明るく発光させる。また、暗いシーンでは、逆に、駆動周波数を下げるまたはデューティー比の「ＯＮ」時間を短くすることにより、ＬＥＤ光源２１２の発光を抑えて暗くさせる制御を行う。
【００６８】
上述した、実施形態によれば以下の効果が得られる。
（１）本実施形態によれば、プロジェクタ１は、三脚３０と、三脚３０を固定する三脚固定部２０と、プロジェクタ本体２とが一体に構成されており、三脚固定部２０は、光学素子を構成する光源２１１に接続され、かつ、三脚固定部２０は、熱伝導性の部材であるアルミナセラミックで形成され、三脚３０も熱伝導性の部材であるアルミニウム合金で形成されている。それにより、光源２１１で発生する熱を効率よく三脚固定部２０に伝熱し、三脚固定部２０に伝熱した熱を三脚３０に伝熱させて、三脚３０から外気に効率良く放熱することができる。これにより、伝熱効率及び放熱効率を向上させ、光源２１１の冷却効率を向上することができる。
【００６９】
（２）本実施形態によれば、プロジェクタ１は、電波を送受信する回路構成部である回路ユニット６０と、アルミナセラミックなどの熱伝導性及び電気絶縁性の部材で形成される三脚固定部２０と、アルミニウム合金などの電気導電性の部材で形成される三脚３０の脚３１とを有して構成される。そして、脚３１と、回路ユニット６０を構成する同軸ケーブルコネクタ６４とを電気導電性の接続部材である高周波用の同軸ケーブル１００で接続する。それにより、三脚３０を放熱用部材として使用することができる以外に、三脚３０の脚３１をアンテナ３１０として使用することができる。また、三脚３０が固定される三脚固定部２０は、電気絶縁性の部材で構成されるため、回路ユニット６０にノイズが乗ることを防止できるため、送受信感度を向上することができる。また、脚３１を伸縮することにより、受信感度を調節することができる。
【００７０】
（３）本実施形態によれば、光学素子を構成する光源２１１を中心に、回路構成部である回路ユニット６０と熱伝導性および電気絶縁性の部材で構成される三脚固定部２０とが相対する位置に配設されるため、プロジェクタ本体２内部で、回路ユニット６０と、三脚３０が固定される三脚固定部２０との距離を離すことができる。それにより、発熱した光源２１１の熱を回路ユニット６０から遠ざけることができるため、光源２１１の熱が回路ユニット６０に伝熱することを低減でき、回路ユニット６０の動作性能を保持できる。また、回路ユニット６０とアンテナ３１０としての脚３１との距離を離して確保することができ、回路ユニット６０にノイズが乗ることを更に防止し、送受信感度を向上することができる。
【００７１】
（４）本実施形態によれば、三脚固定部２０に接続される光学素子は、プロジェクタ１の光学系２００を構成する光学素子の中で最も発熱量の多い、映像を投写するための光を射出する光源２１１であり、その光源２１１を冷却することができる。したがって、最も発熱量の多い光源２１１を冷却することにより、光学系２００を効率的及び効果的に冷却することが可能となる。
【００７２】
（５）本実施形態によれば、小型のプロジェクタ１は、プロジェクタ本体２に一体で構成される三脚３０を使用することにより、プロジェクタ本体２を持ち上げて固定し投写することができる。これにより、プロジェクタを机上に置いて使用していた場合などに、プロジェクタが映像を投写する際のあおり角度の関係から発生していた、投写映像の下側が机上面に投写されるという不具合を改善することが可能となる。
【００７３】
なお、本発明は、上述した実施形態に限定されず、種々の変更や改良など加えることが可能である。変形例を以下に述べる。
【００７４】
（変形例１）前記実施形態において、三脚固定部２０は、熱伝導性と電気絶縁性との両方の性質を有する部材で構成されているが、これに限らず、伝熱効率のみを考慮した場合、熱伝導性の部材であり、しかも熱伝導率が高い、アルミニウム合金や銅合金やマグネシウム合金などの金属で三脚固定部２０を構成することにより、伝熱効率を更に向上することができ、光源２１１で発生する熱を更に効率的に冷却することができる。
【００７５】
（変形例２）前記実施形態において、三脚３０を構成する脚３１，３２，３３は、熱伝導率が高く電気導電性でもあるアルミニウム合金で形成されているが、これに限らず、熱伝導率が高く電気導電性の部材ならば良く、例えば、銅合金やマグネシウム合金であっても良い。
【００７６】
（変形例３）前記実施形態において、三脚固定部２０の板状部２８に接続する光学素子として光源２１１を接続しているが、光学系２００を構成する光学素子の中で、例えば、液晶ライトバルブ２２１での発熱が大きい場合には、ライトバルブユニット２２０を三脚固定部２０に接続して使用しても良い。
【００７７】
（変形例４）前記実施形態において、三脚３０を構成する三本の脚３１，３２，３３のうち、一本の脚３１に同軸ケーブル１００を接続して、脚３１をアンテナ３１０として使用しているが、これに限らず、脚３２及び脚３３を、脚３１と電気導電性の部材で接続してアンテナ３１０として使用することでも良い。これにより、受信感度を更に向上することができる。
【００７８】
（変形例５）前記実施形態において、アンテナ３１０としての三脚３０は、アナログのテレビ電波を受信する仕様となっているが、これに限らず、地上波デジタルのテレビ電波を受信することにも応用できる。
【００７９】
（変形例６）前記実施形態での三脚固定部２０と三脚３０との固定構造は、前記実施形態に限定されるものではなく、発明の要旨を変更しない範囲で適宜変形しても良い。
【００８０】
（変形例７）前記実施形態でのプロジェクタ１は、透過型液晶方式のプロジェクタである。しかし、これに限らず、ＤＬＰ（登録商標）（Digital Light Processing）方式、及び、反射型液晶方式であるＬＣＯＳ（Liquid Crystal On Silicon）方式などを採用したプロジェクタであっても良い。
【図面の簡単な説明】
【００８１】
【図１】本発明の実施形態に係るプロジェクタの概略外観図であり、図１（ａ）は、三脚を開脚した状態での概略斜視図であり、図１（ｂ）は、三脚を開脚した状態での正面図である。
【図２】プロジェクタの別の概略外観図であり、図２（ａ）は、三脚を閉脚して三脚固定部に収容した状態での概略斜視図であり、図２（ｂ）は、三脚を閉脚して三脚固定部に収容した状態の底面図である。
【図３】プロジェクタの概略断面図である。
【図４】プロジェクタの回路ブロック図である。
【符号の説明】
【００８２】
１…プロジェクタ、２…プロジェクタ本体、１０…筐体、１１…上ケース、１２…下ケース、１２ａ…段差部、１２ｂ…固定ネジ、１２ｃ…挿入口、１３…操作部、１４…報音穴、１５…表示部、１６…穴部、２０…三脚固定部、２１，２２，２３…脚案内凹部、２５，２６，２７…脚固定受部、２８…板状部、２９…ケーブル用穴、３０…三脚、３１，３２，３３…脚、３５，３６，３７…脚固定部、３９…ゴム足、４０…リベット、６０…回路ユニット、６１…回路基板、６３…ライトバルブケーブルコネクタ、６４…同軸ケーブルコネクタ、７０…固定フレーム、１００…同軸ケーブル、２００…光学系、２１０…光源ユニット、２１１…光源、２１２…ＬＥＤ光源、２１３…集光レンズ、２１４…コリメータレンズ、２１５…伸張レンズ、２２０…ライトバルブユニット、２２１…液晶ライトバルブ、２２２…ライトバルブケーブル、２２３…ライトバルブフレーム、２３０…投写レンズユニット、２３１…投写レンズ、２３２…投写レンズフレーム、３００…制御部、３１０…アンテナ、３２０…信号経路切替部、３３０…チューナ部、３４０…画像復調部、３５０…画像処理部、３６０…駆動部、３７０…音声復調部、３８０…音声処理部、３９０…音声増幅部、４００…スピーカ、４１０…通信部、４２０…信号変換部、４３０…入力操作部、４４０…リモコン、４５０…リモコン信号受信部、４６０…電源ジャック、４７０…電源コネクタ、４８０…ＬＥＤ制御部、６００…スクリーン。
【図１】
2006208901.tif 000003
【図２】
2006208901.tif 000004
【図３】
2006208901.tif 000005
【図４】
2006208901.tif 000006